(57)【要約】【課題】手振れ以外の有害な振動を除去出来るように画像振れ検知センサーを取り付けた光学的防振装置を提供する。【解決手段】ジャイロセンサー３を取り付けるジャイロ基板６を複数の吊着ゴム１０を介して剛性基板１１に接着することで、剛性基板１１に伝わる高周波振動を吊着ゴム１０で吸収し、ジャイロセンサー３で伝搬することを阻止する。更に、固定側の保持筒２に伝わる有害振動は支えコロ１４及び押さえコロ１８で減衰され、更にゴムワッシャーＡ１５とゴムワッシャーＢ１６で除去されて剛性基板１１に伝わることを阻止している。また、剛性基板１１の中間位置をゴムスペーサー１７を挟んで支持することで、剛性基板１１の中間で生じる撓みを防止すると共に、保持筒２からの有害振動を阻止する。【選択図】図１
2005181463.tif 000002
【特許請求の範囲】
【請求項１】
レンズ鏡筒内の固定部に設置され、前記レンズ鏡筒に加わる振動を検知するための二つの画像振れ検知センサーを基板上に直角位置に配設して成す振動検知手段において、前記基板を弾性部材を介して金属材の剛性基板に吊着せしめ、該剛性基板を弾性ゴムで把持する形で取り付ける２箇所の前記固定部取り付け手段と前記剛性基板の中間位置に弾性スペーサーを挟入した形で支持する手段を有することを特徴とする画像振れセンサーの取り付け装置。
【発明の詳細な説明】
【技術分野】
【０００１】
本発明は、光学的防振装置に関し、特に振動を検知し画像振れ補正動作を実行するための画像振れセンサーの取付装置に関する。
【背景技術】
【０００２】
従来より、手振れ等に起因した画像振れを補正する装置は種々提案されていて、撮影レンズを構成する一部の補正レンズを光軸と垂直な方向に移動する機構は、例えばカメラにおいて像振れの原因であるカメラ振れの加速度を検知することによって像振れを予測し、この予測信号に基づいてレンズを直角方向に移動することによって、像振れを抑制する防振装置が提案されている。
【０００３】
この手振れを検知する検知手段にはカメラ或いはレンズに生じた上下方向と左右方向の回転振れを直角に配置する二つ振動ジャイロに発生する信号で検知する検知手段による方法を採っているが、前記振動ジャイロの配設だけの振れ検知手段では手振れ以外の有害な振動、例えば一眼レフカメラのミラー作動の衝撃振動やシャッター及び絞りの作動時の振動により、正規の手振れ信号以外の信号で誤動作を起こすことがあった。
【０００４】
これらの有害な振動を除去するための振れ検知センサーの取付装置に関する出願も既になされている。例えば振れ検知センサーを複数のゴムブッシュを用いて取り付ける装置や振れ検知センサーを弾性シートあるいはフレキシブルプリント基板を介して取り付ける装置等の出願がなされている。
【特許文献１】特開平０２−１７００５８号公報
【特許文献２】特開平０５−１０７６２３号公報
【発明の開示】
【発明が解決しようとする課題】
【０００５】
解決しようとする問題点は、上記の従来例のように振動を吸収するだけの取付装置では振動ジャイロの検知方向に対する剛性が弱くなり、これに伴って高周波振れの検知能力が減少したり、構造が複雑になったりする欠点を有していた。
【課題を解決するための手段】
【０００６】
本発明は、有害振動吸収に優れた弾性部材を使用可能とすると共に、振れ検知能力を維持するために、ジャイロセンサーを取り付けるジャイロ基板を弾性ゴムを介して一旦、剛性のある剛性基板に取り付け、更に取り付け本体からの有害振動を防止するため、当該剛性基板の両端位置の２箇所を弾性ゴムワッシャーで挟持する形で、固定する方法を採り、中間を弾性スペーサーを挟んで支持する防振の二重構造で解決を図った。
【発明の効果】
【０００７】
本画像振れセンサーの取付装置により本来の振れ検知能力を損なうことなく、有害振動を除去出来る効果がある。
【発明を実施するための最良の形態】
【０００８】
以下、図面等を参照して本発明の最も良好な実施形態を説明する。
【０００９】
図１は、本発明の取付装置の１実施例の断面図であって、図２はその取付状態の平面図で、図３はレンズ鏡筒内に設置する画像振れセンサーの位置を示す鏡筒断面図である。
【００１０】
画像振れ防止装置とはカメラにレンズ鏡筒を装着した状態で撮影者が保持し、撮影するとき、撮影者自身或いは撮影者に伝わる外的要因によって生じる手振れに対し、この手振れ量を感知する適所にセンサーを設置し、鏡筒のレンズ群の中で最も効果的なレンズを該センサーの信号に従い、光軸に対して約垂直方向に移動することによって、手振れの方向と量を補償するよう作動させ、レンズ焦点面での画像振れを補正する装置である。
【００１１】
然るに手振れセンサーの感知手段は図２に示すようにジャイロセンサー３を２個、同一平面に直角に配設して、それぞれに受ける加速度によって信号が発生し、この二つの信号によって手振れの方向と量を感知する手段を採ることが一般で、例えば図３に示す７群レンズで構成するズームレンズではジャイロセンサー３をカメラ装着マウント５に近く、手振れ振動を忠実にうける図３に示す最適な位置に設置し、ここで得られる手振れによる、それぞれジャイロセンサー３からの信号によって方向と量を感知し、レンズ群の中の第３レンズ群Ｇ３の補正レンズ４を光軸１に対して約垂直に必要な量だけ移動せしめることによって、手振れ防止の効果を出している。
【００１２】
図３に示すようにジャイロセンサー３の設置位置は本来の手振れ振動については忠実に検知できることは必須であるが、レンズ鏡筒内とは言え、カメラに装着するマウント５に近い位置であり、カメラからの作動音や振動、例えばミラー作動の衝撃、シャッターの作動などの音や振動が伝わりやすい位置であり、特にレンズの焦点調整や、絞り調整のための駆動モータ類の設置場所に近いこともあり、それぞれ駆動時の有害振動を受け易い。
【００１３】
このためジャイロセンサー３の鏡筒本体に取り付ける装置では手振れ振動である１Ｈｚ〜１２Ｈｚの比較的低周波の有効振動は忠実に感知でき、前記作動のノイズを含む比較的有効振動よりも高い周波数の有害振動に対しては除去出来るような設置装置で無ければならない。
【００１４】
この観点から解決した本案をジャイロセンサー３の取付平面図である図２とその一部の断面図である図１について説明すると２個のジャイロセンサー３は空気伝搬による振動音を阻止するため保護シート８で包装し、センサーケース９に収納してあり、センサーケース９ごと取付られるようプリント基板であるジャイロ基板６の下側平面に、それぞれ直角になるよう設置してあり、上面はジャイロセンサー３の４個の端子３’からそれぞれ信号を取り出し、演算可能な回路と結合するためのフレキシブルプリント基板７が貼り付けられている。
【００１５】
ジャイロセンサー３を搭載したフレキシブルプリント基板７を貼付したジャイロ基板６を鉄板などの金属板でできた円弧状の剛性基板１１に複数の吊着ゴム１０を介して接着し、２つのジャイロセンサー３とフレキシブルプリント基板７を含むジャイロ基板６が剛性基板１１に懸架した状態で吊着させている。これは剛性基板１１に伝わる高周波振動を吊着ゴム１０で吸収し、ジャイロセンサー３で伝搬することを阻止する効果を発揮する。
【００１６】
図２に示すように剛性基板１１の両端２箇所には穴１１’が加工されていて、レンズ鏡筒の固定部である保持筒２の２箇所のネジ穴の取付穴Ａ２ａに螺合して立設されている２つ支柱Ａ１２に該剛性基板１１を穴１１’を通して２つの押さえネジ１９で固定するが、この固定装置として図１の断面図で示すように支柱Ａ１２の中心にプラスチックの支えコロ１４を挿入し、剛性基板１１を弾性体のゴムワッシャーＡ１５とゴムワッシャーＢ１６で挟み込んだ状態で、中心に穴が開いていて、且つ中心が突出した図のような形状の押さえコロ１８を中心の突出部分を剛性基板１１の穴１１’に挿入した状態にし、上から押さえネジ１９で押さえコロ１８の中心穴を通して、支えコロ１４を押さえ込むように支柱Ａ１２の中心ネジ部にねじ込んで取り付けてある。
【００１７】
このようにする事により剛性基板１１は支柱Ａ１２と押さえネジ１９に直接接触することが無いため、固定側の保持筒２に伝わる有害振動は支柱Ａ１２に伝わるが、支えコロ１４及び押さえコロ１８で減衰され、更にゴムワッシャーＡ１５とゴムワッシャーＢ１６で除去されて剛性基板１１に伝わることを阻止している。
【００１８】
また、レンズ鏡筒に大きい衝撃が加わった場合において、剛性基板１１の両端固定に対し、剛性基板１１の中間で生じる撓みを防止すると共に、保持筒２からの有害振動を阻止するために、剛性基板１１の中間位置に保持筒２にあるネジ穴の取付穴Ｂ２ｂに螺合して立設されている支柱Ｂ１３によって、中心に支えコロ１４を挿入したうえ、更にゴムスペーサー１７を挟んで支持している。
【００１９】
以上の構成によるレンズ鏡筒の固定側の保持筒２に配設する画像振れセンサーの取付装置によりジャイロセンサー３はレンズ鏡筒に受ける振動のうち、有効な画像振れ振動に対しては支柱Ａ１２及び支柱Ｂ１３を通して剛性基板１１に伝え、更にこの剛性基板１１に吊着する吊着ゴム１０を通してジャイロセンサー３を搭載したフレキシブルプリント基板７を含むジャイロ基板６に伝えることにより、画像振れ振動をジャイロセンサー３によって忠実に感知せしめることが可能であり、有害な振動に対しては支柱Ａ１２及び支柱Ｂ１３から支えコロ１４、押さえコロ１８及びゴムワッシャーＡ１５、ゴムワッシャーＢ１６、ゴムスペーサー１７によって先ず、剛性基板１１を守るが、微少ながら剛性基板１１に除去されなく残った有害振動は吊着ゴム１０で完全吸収し、ジャイロ基板６には伝わることが不可能となる。このように防振の２重構造となるため、ジャイロセンサー３を有害振動から守り、有効な画像振れ振動のみを検知可能なジャイロセンサー３の設置が可能となる。
【産業上の利用可能性】
【００２０】
産業上で防振を必要とする装置に応用可能で、特に低周波振動に対しては振動に追従し、高周波振動に対しては振動を遮断する効果を求める装置に適する。
【図面の簡単な説明】
【００２１】
【図１】本発明の取付装置の１実施例の断面図である。
【図２】本発明の取付状態の平面図である。
【図３】レンズ鏡筒内に設置する画像振れセンサーの位置を示す鏡筒断面図である。
【符号の説明】
【００２２】
１    光軸
２    保持筒
３    ジャイロセンサー
４    補正レンズ
５    マウント
６    ジャイロ基板
７    フレキシブルプリント基板
８    保護シート
９    センサーケース
１０    吊着ゴム
１１    剛性基板
１２    支柱Ａ
１３    支柱Ｂ
１４    支えコロ
１５    ゴムワッシャーＡ
１６    ゴムワッシャーＢ
１７    ゴムスペーサー
１８    押さえコロ
１９    押さえネジ
【図１】
2005181463.tif 000003
【図２】
2005181463.tif 000004
【図３】
2005181463.tif 000005